【手続補正書】
【提出日】平成19年3月30日(2007.3.30)
【手続補正１】
【補正対象書類名】特許請求の範囲
【補正対象項目名】全文
【補正方法】変更
【補正の内容】
【特許請求の範囲】
【請求項１】
所有者指紋は手の甲紋・手の掌紋画像と手の甲・手の掌の静脈・血管・血流画像と顔画像・虹彩など画像デバイスのいずれかの認証ＩＣチップにする生体認証は光学・感熱・遠赤外線レーザーなどの画像を認証ＩＣチップ登録又は複数生体画像認証ＩＣチップに登録を予めにショップカード又は所有者カードと所有者携帯機等に登録格納さし、なおショップカード又は所有者カードと所有者携帯機はショップカードにする、ショップカードに氏名・地区名・日本標準年月日時分秒認証ＩＣタグに登録格納し所有者のみが１タッチ生体画像を記憶読取認識のみにより認証相互間を一致照合２タッチリーダライタと組み込み機能を具備により所有者のショップカードにおいて作動瞬時相互間を一致照合成立する、カード表面位に所有者のみの顔画像転写において身分証明として出入口証明と契約書・取引証明においてカード２タッチ非接触することにより相互間を無線情報一致照合ときにのみの手段により、他人タッチ不一致照合は操作停止手段を構成としたショップカード。
【請求項２】
生体画像認証病歴カルテとナノ超微細レントゲン情報ＩＣチップをショップカード等に予め登録格納し、救急車両内で所有者の指押し２タッチ無線通信を病院転送する、又は代理人認証ＩＣチップ用いることにおいて突然急病・事故により意識不明、危篤瞬争状態を手術承諾書は健全とき代理人自筆署名において緊急手術する構成としたショップカード。
【請求項３】
建物の出入口ドア・窓に電気錠・電子錠・ナノリニア錠・ベアリング錠の施解錠作動は無線送受信によりキーレス、ソレノイド、超音波など備えて、いずれかのコントローラエンジンＯＮ・ＯＦＦタッチを介しロック作動機構認証をショップカードなどにも予め登録格納さし、１タッチから２タッチときのみにショップカードにより施解錠又はドア開閉する、また所有者の移動・転出入などは登録と抹消にし、ナノリニア錠・ベアリング錠の取換なく登録と抹消で半永久使用する、また、ショップカードタッチ出入口・乗降口通過する形成された構成である特徴としたショップカード。
【手続補正２】
【補正対象書類名】明細書
【補正対象項目名】全文
【補正方法】変更
【補正の内容】
【発明の詳細な説明】
【発明の名称】ショップカード
【技術分野】
【０００１】  本発明は、手の甲紋・手の掌紋画像と手の甲・手の掌の静脈・血管・血流画像と顔・虹彩画像デバイス、いずれかの認証ＩＣチップとし、生体認証は光学・感熱・遠赤外線レーザーデバイスを認証ＩＣチップ登録又は複数生体画像ＩＣチップに登録と氏名・地区名・日本標準年月日時分秒認証ＩＣタグ登録を予めショップカードに格納さし、所有者のみに１タッチから２タッチにより予め登録した認証相互間を一致照合され、無線通信情報リーダライタを介して認証記録情報瞬時相互間を一致照合成立する、またカード表面位に顔画像転写貼付によって身分証明として出入口証明および契約書・取引証明などにカード２タッチ非接触することにより相互間を一致照合する、他人タッチ不一致照合は操作停止する機能に関する。【０００２】  なお、生体画像認証病歴カルテとナノ超微細レントゲン付カードにおいて病院で生体画像認証ＩＣチップ接合カードと救急車両内はカード２タッチ指押し病院移送において治療に関する。【０００３】  また、建物の出入口ドア・窓に電気錠・電子錠・ナノリニア錠・リニア電子錠・ベアリング錠などによって施解錠作動さすショップカードにより１タッチから２タッチでロック施解錠する、また、カード所有者の移動・転出入は登録と抹消にし、ナノリニア錠・ベアリング錠の取換なく登録と抹消で半永久使用するショップカード機能に関する。
【背景技術】
【０００４】  また、生体複数画像認証と登録と地区名称・番地の認証を予めショップカードに登録格納と電子錠なども予め登録格納さし、所有者のみが１タッチ照合後さらに２タッチにより相互間を一致照合成立する構成とする。【０００５】  なお、カード２タッチにより病歴データ又はレントゲン解析処理画像の参照光の波長干渉乱数波長を解析処理・暗号処理・暗号記号変換帯域ナノ圧縮認証ＩＣチップを登録（図示省略）して意識不明、瞬争事態ときカード２タッチ照合する構成とする。【０００６】  また、カード２タッチ本人の身分証明に顔画像付を出入口、入場口、乗降口通過。短期と長期間留守は、代理人登録ＩＣチップ、賃貸主認証ＩＣチップ登録と管理人登録においてカード１タッチから２タッチ無線情報照合する構成とする。【０００７】  また、超電導駆動をシート類又はテープ類に加工する。リニア又はベアリングテーブルスライド（図示省略）さして両面部位の両側に装着具備する、リニアテーブル又はベアリングテーブル動作を耐腐食性、耐溶剤性、断電性と高温零下と海岸地帯と船内・外に設置できる、潤滑油不要したノンメンテナンスのベアリングを介してベアリングテーブルを作動によって、リニア電子錠・ベアリング電子錠においてロック施解錠に成立する構成とする。【０００８】  さらに、ロボット駆動に数百トンをリニア作動軽動は省電力、強力作動を発想に転換にモーターとギヤ不要することにおいてドアロックに超小型で作動に成立と平成１７年７月２７日ＪＳＴ検索ときリニアロック施解錠とベアリングロック施解錠とリニア電子錠・ベアリング電子錠の検索結果は０件、する構成とする。【特許文献１】特開昭和５９−  ５３４００号公報
【特許文献２】特開昭和６０−  ７６９８３号公報
【特許文献１】特開２００５−２８４３２７号公報
【特許文献２】特開２００５−  ９２６８５号公報
【発明の開示】
【発明が解決しようとする課題】
【０００９】  本発明は、生体複数画像認証と氏名・地区名称と年月日時分秒など認証ＩＣチップ登録を予めショップカードに格納さして所有者のみが１タッチから２タッチにより相互間を一致照合成立する特徴を提供する。【００１０】  また、事件事故意識不明生死緊急優先トリアーゼ・感染医療情報は２次感染の院内・外感染防備体制できるＥＢＭ双方救う、病歴カルテ認証ＩＣチップは所有者生涯必要な既往症病名・診療年月日・抗生物質・アレルギー拒否反応・即適切診療する特徴を提供する。【００１１】  なお、ナノリニア錠ロックをリニアテーブル類に置き平行動・回転動するナノリニア錠とリニア電子錠とベアリング電子錠の温度特性は零下数拾度・高熱数拾度の環境を駆動する。さらに駆動特性が希土類磁性を介しＮ・Ｓ着磁をシート状又はテープ状の超伝導磁気半導体反発・吸引力浮上が平行動・回転動ロックに発生とき無線情報を介して解錠・施錠作動する無線情報を予め錠とカードに登録格納さし、カードと携帯機において１タッチから２タッチにしロック施解錠と、また、不正防ぐことは被害減と加害消滅の特徴を目的とする。【００１２】  また、ショップカード用いてゲート通過時又は玄関通路出入口ドアリーダライタと組込システム、カード挿入又は接触さしてカード２タッチ相互間を一致照合してロック作動する、また、ナノリニア錠・超小型リニア電子錠・ベアリング電子錠を各書庫、ロッカー、タンスや多種類の大・中・小など多数の錠前も予め認証登録されたのみに所有者１タッチから２タッチ１枚によって施解錠作動する目的とする。【００１３】  また、ショップカードなどを代理人選び作成とし、責任代行する代理人の端末紛失又は他人利用時は認証相互間不一致の照合停止する目的とする。
【課題を解決するための手段】
【００１４】  本発明は、生体複数画面を認証ＩＣチップに登録とショップカード等と電子錠に登録格納さし、所有者のみが２タッチ相互間を一致照合さすことにより電子錠作動できる、さらに、出入口・乗降口通過を提供することができる。【００１５】  また、カード２タッチの病歴データ又はレントゲンを解析処理画像の参照光の波長干渉乱数波長を解析処理・暗号処理・暗号記号変換帯域ナノ圧縮登録ＩＣチップにより意識不明、瞬争事態とき所有者のみのカード２タッチ照合を提供することができる。【００１６】  なお、年齢と共忘却されプライバシーとセュリティに備え、拾数年前の病歴忘れたより苦辛激痛状態患者に既往症記入元気ない、説明返事困難と患者の立場を事務的処理の医療現場に病歴ＩＣチップ端末は最高緊急とき救命体制緩和する、生命救うカルテ内容の変更は続成有効する生涯必要なＸ線ＣＴレントゲン画像を常時手元保持、ＩＣチップ格納、また、他の病院数箇所行く、重患部位を見落負荷、３次元垂直・斜断面画像を電子解析、ＭＲＩ・ＭＲＡ・ＬＤＣ・ＣＴ合成画像ＩＣチップ登録事前検査なく即手術有事する、不在は人命尊重最優先も脳死・心臓停止待つ状態より、カード２タッチ代理人は承諾書において手術了承する最大特別構成あるカード２タッチを介した照合を提供することができる。【００１７】  なお、所有者帰宅玄関ドアにカード２タッチナノリニア錠・リニア電子錠・ベアリング電子錠で解錠・施錠作動、帰宅音声と足元点灯とドア開閉動と外側動ときドア開けます音声安全など（国内・国外共）に迷惑又は被害減少さし、また、不正動と分解は音とＬＥＤ点滅（特出１９８７年防犯器機構）内蔵不正侵入にスキ与えない生活環境と地震４度以上は避難通口確保自動解錠・施錠危機管理構成のカード２タッチ照合を備える構成に提供することができる。
【発明の効果】
【００１８】  この発明によれば、生体複数認証を所有者使用するところに予め登録格納にさし、格納に２タッチすると相互間を一致照合に提供することができる。【００１９】  この発明によれば、電子錠のロック作動をリニアとベアリングにしモーターとギヤ不要において小型化・軽量化・省電力・低廉価にでき、更に高品質・高精度の付加価値機能を内蔵具備できるロック装置を提供することができる。
【発明を実施するための最良の形態】
【００２０】  以下、本発明の実施形態に関わる概略ブロック図である、ショップカードの実施例にもとづき図面を用い説明する。  図１は、この発明の実施形態による。１．ショップカードに具備する、２．生体画像認証ＩＣチップと３．生体複数画像認証ＩＣチップから４．手の甲と手の掌の指紋と５．手の甲と手の掌静脈画像と６．手の甲と手の掌血管画像と７．手の甲と手の掌血流画像と８．顔・虹彩の画像を９．光学・感熱・レーザー・遠赤外線を用いて２．生体認証デバイスＩＣチップにし、１５．個人病歴データとレントゲン画像ＩＣチップと１６．ＣＴ・ＭＲＩ・ＭＲＡ画像ＩＣチップと１７．ＭＲＩ・ＭＲＡ・ＩＤＬ・ＣＴ合成画像ＩＣチップと１８．登録日年月日時分秒（日本標準数）数値と住所氏名・地区名番地数値にし、１９．外人は登録年月日時分秒（日本・外国）を１．ショップカードと２４所有者カードと２５所有者携帯機に予め格納さし、２０．複数生体認証電子錠と２１．生体認証電子錠と２２．電子錠と２３．室内手動錠とした特徴となっている。【００２１】  図２は、３０．リーダライタを備えて、３１．カードと３２．接触面に１．ショップカード等をタッチとき３３．不一致のタッチミスもあり３５．再度タッチする、しかし再度タッチ不調は３４．不正とする、なお、３６．正常は３７．４０．無線送受信キーレス・ソレノイド・超音波コントローラエンジンＯＮ・ＯＦＦタッチ、組込みシステムにおいて、３１.カードと３２．接触面に、１．ショップカード等にタッチも、３８．他人不正は拒否する、３９．１タッチから２タッチ認証相互間を一致照合成立さし不正は完全不可能に近づくことが、４５．出入口又は４６．乗降口を通過できる、また４７．ナノリニア電子錠又は４８．リニア電子錠又は４９．ベアリング電子錠によって、ロックを５５．施解錠作動又は５６．ドア開閉状態によって不幸な被害激減と不正侵入不能が不正消滅になるために国内・国外の国民に生活安全と平和を守れる特徴となっている。
【図面の簡単な説明】
【００２２】
【図１】本発明に係る生体認証又は複数生体認証と個人病歴データとレントゲン画像と登録年月日時分秒数値具備をショップカードに格納から無線通信による無線送受信する電子錠に予め格納され具備さして施解錠システムの概略構成を示すブロック図である。
【図２】本発明に係るショップカードにおいて正否さしタッチから２タッチ認証相互間を一致照合により出入口又は乗降口などを通過できる、なお、ナノリニア電子錠・リニア電子錠・ベアリング電子錠においてロック施解錠とドア開開閉によって生活安心システムの概略構成を示すブロック図である。
【符号の説明】
【００２３】１…ショップカード、２…生体認証ＩＣチップ、３…複数生体認証ＩＣチップ、４…手の甲・手の掌指紋画像、５…手の甲・手の掌静脈画像、６…手の甲・手の掌血管画像、７  …手の甲・手の掌血流画像、８…顔・虹彩画像、９…生体光学・感熱・レーザー・遠赤外線生体バイス、１５…個人病歴データとレントゲン画像ＩＣチップ、１６…ＣＴ・ＭＲＩ・ＭＲＡ画像ＩＣチップ、１７…ＭＲＡ・ＭＲＩ・ＩＤＬ・ＣＴ合成画像ＩＣチップ、１８…登録年月日時分秒・住所氏名、１９…外人登録年月日時分秒・住所氏名（日本・外国）、２０…複数生体認証電子錠、２１…生体認証電子錠、２２…電子錠、２３…室内手動錠、２４…所有者カード、２５…所有者携帯機、３０…リーダライタ、３１…カード挿入口、３２…接触面、３３．不一致、３４…不正、  ３５…再度、３６…正常、３７…組込みシステム、３８…他人不正、３９…１タッチから２タッチ認証相互間を一致照合端末、４０…無線送受信キーレス・ソレノイド・超音波コントローラエンジンＯＮ・ＯＦＦタッチ、４５…出入口、４６…乗降口、４７…ナノリニア電子錠、４８…リニア電子錠、４９…ベアリング電子錠、５５…施解錠、５６…ドア開閉。
【手続補正３】
【補正対象書類名】図面
【補正対象項目名】全図
【補正方法】変更
【補正の内容】
【図１】
2007128488.tif 000001
【図２】
2007128488.tif 000002